(57)【要約】【課題】  構造簡単で電話ボックス設置用スペースを利用して安価且つ容易に設置できること。【解決手段】  高速道路のトンネル内や病院の内側室内等の電話ボックス設置用スペースＳに電話ボックスを設置しないで、その電話ボックスの扉１のみを電話ボックス設置用スペースＳの前面開口部を覆うように開閉自在に取り付けており、前記扉１が外枠４により開閉自在に支持され、該外枠４と電話ボックス設置用スペースＳの左右内壁Ｓａとの間に一対の側部調整カバー５が設けられ、その外枠４と電話ボックス設置用スペースＳの天井壁Ｓｂとの間に上部調整カバー６が設けられている。【選択図】        図１
0003146832.tif 000002
【実用新案登録請求の範囲】
【請求項１】
高速道路のトンネル内や病院の内側室内等の電話ボックス設置用スペースに電話ボックスを設置しないで、その電話ボックスの扉のみを電話ボックス設置用スペースの前面開口部を覆うように開閉自在に取り付けてなる電話設置装置。
【請求項２】
前記扉を開閉自在に支持する外枠の左右両縦框と電話ボックス設置用スペースの左右内壁との間に、その両者間に発生する隙間を隠蔽調整するための一対の側部調整カバーを設けてなる請求項１に記載の電話設置装置。
【請求項３】
前記扉を支持する外枠は、室外側の左右２つの縦框及び室内側の左右２つの縦框と、平面視略コ字状の前記一対の側部調整カバーとにより略中空箱状に形成されてなる請求項２に記載の電話設置装置。
【請求項４】
前記各側部調整カバーが、各縦框から側方に延びる側部固定枠と、該側部固定枠に左右方向移動可能に外嵌しその側部固定枠に止着具により止着される側部カバー本体とを有してなる請求項２または３に記載の電話設置装置。
【請求項５】
前記扉を開閉自在に支持する外枠の上側横框と電話ボックス設置用スペースの天井壁との間に、その両者間に発生する隙間を隠蔽調整するための上部調整カバーを設けてなる請求項１〜４のいずれかに記載の電話設置装置。
【請求項６】
前記上部調整カバーが、上側横框から上方に延びる上部固定枠と、該上部固定枠に上下方向移動可能に外嵌しその上部固定枠に止着具により止着される上部カバー本体とを有してなる請求項５に記載の電話設置装置。
【請求項７】
前記電話ボックス設置用スペースの左右内壁と天井壁との間のコーナ空間を隠蔽調整するための隠蔽板が前記各側部調整カバー及び上部調整カバーにそれぞれ移動可能に取り付けられてなる請求項５または６に記載の電話設置装置。
【考案の詳細な説明】
【技術分野】
【０００１】
本考案は、例えば高速道路のトンネル内や病院の内側室内等に設置される電話設置装置に関し、特に、構造簡単で電話ボックス設置用スペースを利用して安価且つ容易に設置できるようにしたものである。
【背景技術】
【０００２】
従来、電話ボックスの技術の一例として図１３の斜視図に示すものがある。これは、扉１付き箱状ボックス本体２を例えば高速道路のトンネル内や病院の内側室内等の電話ボックス設置用スペースＳに設置することにより電話ボックスＴを形成し、電話ボックス設置用スペースＳの左右内壁Ｓａ及び天井壁Ｓｂとボックス本体２との間の隙間Ｍをモルタルなどからなる隠蔽部材（図示せず）で隠蔽している。なお、関連する技術として特許文献１に記載したものがある。
【特許文献１】特開平１０−２２４４４３号公報
【考案の開示】
【考案が解決しようとする課題】
【０００３】
上記従来の構成では、電話ボックスＴの外壁部が、ボックス本体２と、電話ボックス設置用スペースＳの左右内壁Ｓａ及び天井壁Ｓｂとで、二重構造になっており、これでは、電話ボックスＴの外壁部が二重構造になっている分だけ構造が複雑になって製作費が高くつく。また、ボックス本体２により電話ボックス設置用スペースＳ内が仕切られており、該スペースＳの全体が有効利用されておらず、電話ボックスＴ内の内部空間が狭くなっている。言い換えれば、電話ボックスＴの内部空間を余裕あるものとするためには、それだけ電話ボックス設置用スペースＳを広く取る必要があり、例えばトンネル内の限られた利用空間では、該電話ボックス設置用スペースＳを広く取ることができないか、その電話ボックス設置用スペースＳの造成費用が高くつく場合がある。更に、隙間Ｍをモルタルなどからなる隠蔽部材（図示せず）で隠蔽するのに手間と時間とがかかり、コストアップになる。
【０００４】
本考案は、上記従来の欠点に鑑み、構造簡単で電話ボックス設置用スペースを利用して安価且つ容易に設置できるようにした電話設置装置を提供することを目的としている。
【課題を解決するための手段】
【０００５】
上記目的を達成するための構成を実施の形態に対応する図面に基づいて説明すると、請求項１に記載の考案は、高速道路のトンネル内や病院の内側室内等の電話ボックス設置用スペースＳに電話ボックスを設置しないで、その電話ボックスの扉１のみを電話ボックス設置用スペースＳの前面開口部を覆うように開閉自在に取り付けてなる構成を採用するものである。
【０００６】
請求項２に記載の考案は、請求項１に記載の考案において、前記扉１を開閉自在に支持する外枠４の左右両縦框９ａ〜９ｄと電話ボックス設置用スペースＳの左右内壁Ｓａとの間に、その両者間に発生する隙間Ｍを隠蔽調整するための一対の側部調整カバー５を設けてなる構成を採用するものである。
【０００７】
請求項３に記載の考案は、請求項２に記載の考案において、前記扉を支持する外枠は、室外側の左右２つの縦框及び室内側の左右２つの縦框と、平面視略コ字状の前記一対の側部調整カバーとにより略中空箱状に形成されてなる構成を採用するものである。
【０００８】
請求項４に記載の考案は、請求項２または３に記載の考案において、前記各側部調整カバーが、各縦框から側方に延びる側部固定枠と、該側部固定枠に左右方向移動可能に外嵌しその側部固定枠に止着具により止着される側部カバー本体とを有してなる構成を採用するものである。
【０００９】
請求項５に記載の考案は、請求項１〜４のいずれかに記載の考案において、前記扉を開閉自在に支持する外枠の上側横框と電話ボックス設置用スペースの天井壁との間に、その両者間に発生する隙間を隠蔽調整するための上部調整カバーを設けてなる構成を採用するものである。
【００１０】
請求項６に記載の考案は、請求項５に記載の考案において、前記上部調整カバーが、上側横框から上方に延びる上部固定枠と、該上部固定枠に上下方向移動可能に外嵌しその上部固定枠に止着具により止着される上部カバー本体とを有してなる構成を採用するものである。
【００１１】
請求項７に記載の考案は、請求項５または６に記載の考案において、前記電話ボックス設置用スペースの左右内壁と天井壁との間のコーナ空間を隠蔽調整するための隠蔽板が前記各側部調整カバー及び上部調整カバーにそれぞれ移動可能に取り付けられてなる構成を採用するものである。
【考案の効果】
【００１２】
請求項１に記載の考案によれば、電話ボックスＴの外壁部が電話ボックス設置用スペースＳの左右内壁Ｓａ及び天井壁Ｓｂで構成されており、その外壁部が二重構造になっている従来の電話ボックスＴ（図１３参照）に比べて構造が簡単であるから、製作費が安くつくと共に、電話ボックス設置用スペースＳの内部空間のすべてを無駄なく有効利用することができる。言い換えれば、電話ボックス設置用スペースＳの広さを可及的に狭くすることができる。
【００１３】
請求項２に記載の考案によれば、左右両縦框９ａ〜９ｄと電話ボックス設置用スペースＳの左右内壁Ｓａとの間の隙間Ｍにそれぞれ側部調整カバー５を設けることにより、その両者間の隙間Ｍの調整を容易に行うことができると共に、隙間Ｍを体裁良く隠蔽することができる。
【００１４】
請求項３に記載の考案によれば、室外側の左右２つの縦框９ａ，９ｂ及び室内側の左右２つの縦框９ｃ，９ｄと、平面視略コ字状の一対の側部調整カバー５とにより堅固な略中空箱状の外枠４が形成されているから、扉１に風圧を受けても安定よく支持することができる。
【００１５】
請求項４に記載の考案によれば、側部固定枠１９に外嵌する側部カバー本体２１を側方に引き出して電話ボックス設置用スペースＳの左右内壁Ｓａに当接させ、その側部カバー本体２１を側部固定枠１９に止着具２４で止着するだけで、左右両縦框９ａ〜９ｄと電話ボックス設置用スペースＳの左右内壁Ｓａとの間の隙間Ｍを迅速容易に隠蔽することができる。
【００１６】
請求項５に記載の考案によれば、上側横框１０と電話ボックス設置用スペースＳの天井壁Ｓｂとの間の隙間Ｍに上部調整カバー６を設けることにより、その両者間の隙間Ｍの調整を容易に行うことができると共に、隙間Ｍを体裁良く隠蔽することができる。
【００１７】
請求項６に記載の考案によれば、上部固定枠２９に外嵌する上部カバー本体３１，３２を上方に引き出して電話ボックス設置用スペースＳの天井壁Ｓｂに当接させ、その上部カバー本体３１，３２を上部固定枠２９に止着具３５で止着するだけで、上側横框１０と電話ボックス設置用スペースＳの天井壁Ｓｂとの間の隙間Ｍを迅速容易に隠蔽することができる。
【００１８】
請求項７に記載の考案によれば、各側部調整カバー５及び上部調整カバー６にそれぞれ取り付けた隠蔽板３７，３８で電話ボックス設置用スペースＳのコーナ空間Ｍａを体裁良く隠蔽することができる。
【考案を実施するための最良の形態】
【００１９】
図１〜図１２は本考案の実施の一形態である電話設置装置Ｔを示すものであって、図１は同分解斜視図、図２は同要部の分解斜視図、図３は同正面図、図４は同水平断面図、図５は同側部調整カバーの斜視図、図６は図５のＡ−Ａ矢視図、図７は図６のＢ−Ｂ矢視図、図８は同上部調整カバーの正面側斜視図、図９は同上部調整カバーの裏面側斜視図、図１０は図９のＣ−Ｃ矢視図、図１１は図９のＤ−Ｄ矢視図、図１２は同要部の横断面図である。
【００２０】
図１〜図４に示すように、扉１が外枠４により開閉自在に支持され、該外枠４と電話ボックス設置用スペースＳの左右内壁Ｓａとの間に一対の側部調整カバー５が設けられ、その外枠４と電話ボックス設置用スペースＳの天井壁Ｓｂとの間に上部調整カバー６が設けられている。なお、図１中、７は電話装置である。
【００２１】
上記構成によれば、電話設置装置Ｔの外壁部が電話ボックス設置用スペースＳの左右内壁Ｓａ及び天井壁Ｓｂで構成されており、その外壁部が二重構造になっている従来の電話ボックスＴ（図１３参照）に比べて構造が簡単であるから、製作費が安くつくと共に、電話ボックス設置用スペースＳの内部空間のすべてを無駄なく有効利用することができる。
【００２２】
図２及び図７に示すように、前記外枠４は、電話ボックス設置用スペースＳの底面に設置される平面視長方形のベース板８と、該ベース板８の四隅に立設したアルミ押出型材からなる４本の縦框９ａ〜９ｄと、前側左右両縦框９ａ，９ｂの上端間に架設したアルミ押出型材からなる上側横框１０とを有し、図６に示すように、各縦框９ａ〜９ｄの下端部をベース板８上の連結板１１に外嵌させてボルトなどの連結具１２で連結することにより、その各縦框９ａ〜９ｄがベース板８に固定されている。
【００２３】
図４及び図７に示すように、前記扉１は、ベース板８及び上側横框１０に設けた軸受（図示せず）に支軸１４を介して回動可能に支持されており、開放時には、扉１の中央に設けたヒンジ１５を中心に二つ折りされる（図４仮想線参照）。なお、図３及び図７中の１６は扉１と左右両縦框９ａ，９ｂとの間の間隙を塞ぐ縦塞ぎ板、図３及び図１２中の１７は扉１と上側横框１０との間の間隙を塞ぐ横塞ぎ板である。
【００２４】
図５〜図７に示すように、前記側部調整カバー５は、外枠４とほぼ同一高さに設定されており、基板部１９ａを各縦框９ａ〜９ｄの側面にボルトなどの連結具２０で連結した一対の鋼板製側部固定枠１９を有し、該側部固定枠１９の中央板部１９ｂが該各縦框９ａ〜９ｄから側方に延ばされると共に、その側部固定枠１９の先端板部１９ｃが平面視略コ字状に折り曲げられている。
【００２５】
図５〜図７に示すように、前記両側部固定枠１９に外嵌する平面視略コ字状の鋼板製側部カバー本体２１が設けられ、該側部カバー本体２１の内端面に平面視略コ字状の鋼板製補助枠２２が止着され、その側部カバー本体２１と補助枠２２との間の一対の隙間ｅに前記側部固定枠１９の先端板部１９ｃが左右方向ａ，ｂ移動可能に嵌入されている。
【００２６】
図５〜図７に示すように、前記補助枠２２の両側板部２２ａに上下方向ｃ，ｄに所定間隔をおいて左右方向ａ，ｂに延びる複数の長孔２３が貫設され、該各長孔２３を通って各側部固定枠１９の先端板部１９ｃのねじ孔にねじ込まれる複数のボルトなどの止着具２４が設けられている。なお、図７中、２５は前後に対向する縦框９ａ，９ｃ、９ｂ，９ｄ間の出入口を仕切る仕切り板である。
【００２７】
側部調整カバー５の隠蔽調整手順を説明すると、止着具２４を緩めた状態で側部カバー本体２１を側方（矢印ａ，ｂ方向）に引き出すことにより、該側部カバー本体２１を電話ボックス設置用スペースＳの左右内壁Ｓａに当接させ（図４参照）、止着具２４を締めつけて、その側部カバー本体２１を側部固定枠１９に固定し、側部調整カバー５の横幅ｍを隙間Ｍに合わせる。
【００２８】
上記構成によれば、室外側の左右２つの縦框９ａ，９ｂ及び室内側の左右２つの縦框９ｃ，９ｄと、平面視略コ字状の一対の側部調整カバー５とにより堅固な略中空箱状の外枠４が形成されているから、扉１に風圧を受けても安定よく支持することができる。
【００２９】
また、各側部調整カバー５により、左右両縦框９ａ，９ｂと電話ボックス設置用スペースＳの左右内壁Ｓａとの間の隙間Ｍを体裁良く迅速容易に隠蔽することができる。
【００３０】
図８〜図１１に示すように、前記上部調整カバー６は、前記縦框９ａ〜９ｄ及び上側横框１０上に載置されてボルトなどの止着具２７で該縦框９ａ〜９ｄに止着された鋼板製天板２８を有し、図２に示すように、天板２８の左右方向ａ，ｂの横幅ｔ１が外枠４の横幅ｔ２よりも大きく設定されて、その天板２７の両端部下方の空間に側部調整カバー５が収納されている。
【００３１】
図８〜図１１に示すように、前記天板２８の前縁から直角に折り曲げられて上方に延びる上部固定枠２９を有し、該上部固定枠２９の上端板部２９ａが側面視略コ字状に折り曲げられている。また、天板２８の側縁及び後縁から補強板３０が上向きに直角に折り曲げられている。
【００３２】
図８〜図１１に示すように、前記上部固定枠２９に外嵌する上下２段の鋼板製上部カバー本体３１，３２が設けられ、図９及び図１０に示すように、下段側上部カバー本体３１は、前後２枚のＬ字板３１ａ，３１ｂの水平部を互いに止着することにより側面視略コ字状に形成されており、その両Ｌ字板３１ａ，３１ｂ間の隙間ｅに前記上部固定枠２９の上端板部２９ａが上下方向ｃ，ｄに移動可能に嵌入されている。
【００３３】
図９及び図１０に示すように、後側Ｌ字板３１ｂに左右方向ａ，ｂに所定間隔をおいて上下方向ｃ，ｄに延びる複数の長孔３３が貫設され、該各長孔３３を通って上部固定枠２９の上端板部２９ａのねじ孔にねじ込まれる複数のボルトなどの止着具３５が設けられている。
【００３４】
図９及び図１１に示すように、上段側上部カバー本体３２は、前後２枚のＬ字板３２ａ，３２ｂの水平部を互いに止着することにより側面視略コ字状に形成されており、その両Ｌ字板３２ａ，３２ｂ間の隙間ｅに前記下段側上部カバー本体３１が上下方向ｃ，ｄに移動可能に嵌入されている。
【００３５】
図９及び図１１に示すように、後側Ｌ字板３２ｂに左右方向ａ，ｂに所定間隔をおいて上下方向ｃ，ｄに延びる複数の長孔３４が貫設され、該各長孔３４を通って下段側上部カバー本体３１の後側Ｌ字板３１ｂのねじ孔にねじ込まれる複数のボルトなどの止着具３５が設けられている。なお、図９中、３６は上部固定枠２９の上端板部２９ａ及び上段側上部カバー本体３２の後側Ｌ字板３２ｂに形成した切欠き部であって、その上部固定枠２９や上段側上部カバー本体３２と各止着具３５とが互いに干渉しないようにする。
【００３６】
上部調整カバー６の隠蔽調整手順を説明すると、止着具３５を緩めた状態で各上部カバー本体３１，３２を上方（矢印ｃ方向）に引き出すことにより、該上段側上部カバー本体３２を電話ボックス設置用スペースＳの天井壁Ｓｂに当接させ、止着具３５を締めつけて、その各上部カバー本体３１，３２を上部固定枠２９に固定し、上部調整カバー６の高さｈを隙間Ｍに合わせる。
【００３７】
上記構成によれば、上側横框１０と電話ボックス設置用スペースＳの天井壁Ｓｂとの間の隙間Ｍを体裁良く迅速容易に隠蔽することができる。
【００３８】
図１に示すように、電話ボックス設置用スペースＳの左右内壁Ｓａと天井壁Ｓｂとの間のコーナ空間Ｍａを隠蔽調整するための隠蔽板３７，３８が各側部調整カバー５及び上部調整カバー６にそれぞれ移動可能に取り付けられている。
【００３９】
図５に示すように、各側部調整カバー５の隠蔽板３７は、側部カバー本体２１の前面上端に当接される基板部３７ａと、該基板部３７ａの上端から折れ曲がって上方に延びる隠蔽板本体３７ｂとからなり、その基板部３７ａに所定間隔をおいて複数の長孔３９が上下方向ｃ，ｄに沿って貫設され、該各長孔３９を通って側部カバー本体２１のねじ孔にねじ込まれるボルトなどの止着具４０が設けられている。
【００４０】
図８に示すように、前記上部調整カバー６の隠蔽板３８は、上段側上部カバー本体３２の前面両端に配置されて前記隠蔽板本体３７ｂの後側を通っており、その基端部に所定間隔をおいて複数の長孔４１が左右方向ａ，ｂに沿って貫設され、該各長孔４１を通って前側Ｌ字板３２ａにねじ込まれるボルトなどの止着具４０が設けられている。なお、図５及び図８中、４２は各側部固定枠１９及び前側Ｌ字板３１ａに形成した切欠き部であって、その各側部固定枠１９や前側Ｌ字板３１ａと各止着具４０とが互いに干渉しないようにする。
【００４１】
各隠蔽板３７，３８による隠蔽調整手順を説明すると、止着具４０を緩めた状態で各隠蔽板３７を上下方向ｃ，ｄにスライドさせて電話ボックス設置用スペースＳの天井壁Ｓｂに当接させると共に、各隠蔽板３８を左右方向ａ，ｂにスライドさせて電話ボックス設置用スペースＳの左右内壁Ｓａに当接させ、止着具４０を締めつけて、その各隠蔽板３７，３８を各側部調整カバー５と上部調整カバー６とに固定し、コーナ空間Ｍａを塞ぐ。
【００４２】
上記構成によれば、各隠蔽板３７，３８で電話ボックス設置用スペースＳのコーナ空間Ｍａを体裁良く隠蔽することができる。
【００４３】
上記実施の形態では、上部調整カバー６の上部カバー本体３１，３２を上下２段設けた場合を例にあげて説明したが、これに限定されるわけではなく、隙間Ｍの大きさに応じて、１段または３段以上にしてもよい。
【図面の簡単な説明】
【００４４】
【図１】本考案の実施の一形態である電話設置装置を示す分解斜視図である。
【図２】同要部の分解斜視図である。
【図３】同正面図である。
【図４】同水平断面図である。
【図５】同側部調整カバーの斜視図である。
【図６】図５のＡ−Ａ矢視図である。
【図７】図６のＢ−Ｂ矢視図である。
【図８】同上部調整カバーの正面側斜視図である。
【図９】同上部調整カバーの裏面側斜視図である。
【図１０】図９のＣ−Ｃ矢視図である。
【図１１】図９のＤ−Ｄ矢視図である。
【図１２】同要部の横断面図である。
【図１３】従来例を示す斜視図である。
【符号の説明】
【００４５】
１          扉
４          外枠
５          側部調整カバー
６          上部調整カバー
９ａ〜９ｄ  縦框
１０        上側横框
１９        側部固定枠
２１        側部カバー本体
２４        止着具
２９        上部固定枠
３１，３２  上部カバー本体
３５        止着具
３７，３８  隠蔽板
Ｔ          電話設置装置
Ｓ          電話ボックス設置用スペース
Ｓａ        電話ボックス設置用スペースの左右内壁
Ｓｂ        電話ボックス設置用スペースの天井壁
Ｍ          隙間
Ｍａ        コーナ空間
ａ，ｂ      左右方向
ｃ，ｄ      上下方向
【図１】
0003146832.tif 000003
【図２】
0003146832.tif 000004
【図３】
0003146832.tif 000005
【図４】
0003146832.tif 000006
【図５】
0003146832.tif 000007
【図６】
0003146832.tif 000008
【図７】
0003146832.tif 000009
【図８】
0003146832.tif 000010
【図９】
0003146832.tif 000011
【図１０】
0003146832.tif 000012
【図１１】
0003146832.tif 000013
【図１２】
0003146832.tif 000014
【図１３】
0003146832.tif 000015